(57)【特許請求の範囲】
【請求項１】
回路基板をハウジングに格納した制御装置が遊技機枠体に取り付けられる遊技盤の裏面に設けられた遊技機において、制御装置のハウジングの内部には上側の大部屋と下側の小部屋とが相互に連なる箱型の１つの空間として形成され、上側の大部屋における前壁と下側の小部屋における前壁とが上下方向で同一面内に存在し、上側の大部屋における前壁から後壁までの幅が下側の小部屋における前壁から後壁までの幅よりも大きく、少なくとも上側の大部屋における上壁および後壁には内外に貫通する多数の小孔が形成され、少なくとも下側の小部屋における後壁には内外に貫通する多数の小孔が形成され、前記回路基板が上側の大部屋と下側の小部屋とにわたって格納され、この回路基板における上側の大部屋に配置される大部屋側部分には回路基板に実装される電気部品のうちで発熱量の多い電気部品が実装され、この回路基板における下側の小部屋に配置される小部屋側部分には回路基板に実装される電気部品のうちで発熱量の少ない電気部品が実装される一方、前記上下方向で同一面内に存在する上側の大部屋における前壁と下側の小部屋における前壁とが遊技盤の裏面の側に向けられることによって、前記上側の大部屋と下側の小部屋とにわたって格納された回路基板の板面が遊技盤の裏面と直交し、かつ、大部屋が上側で小部屋が下側となるように、制御装置が遊技盤の裏面に縦置き配置されて取り付けられたことを特徴とする遊技機。
【請求項２】
回路基板をハウジングに格納した制御装置が遊技機枠体に取り付けられる遊技盤の裏面に設けられた遊技機において、制御装置のハウジングの内部には上側の大部屋と下側の小部屋とが相互に連なる箱型の１つの空間として形成され、上側の大部屋における前壁と下側の小部屋における前壁とが上下方向で同一面内に存在し、上側の大部屋における左右方向の高さが下側の小部屋における左右方向の高さよりも大きく、少なくとも上側の大部屋における左右方向の一方の背壁と上壁とには内外に貫通する多数の小孔が形成され、少なくとも下側の小部屋における後壁には内外に貫通する多数の小孔が形成されており、前記回路基板は上側の大部屋と下側の小部屋とにわたって格納され、この回路基板における上側の大部屋に配置される大部屋側部分には回路基板に実装される電気部品のうちで発熱量の多い電気部品が実装され、この回路基板における下側の小部屋に配置される小部屋側部分には回路基板に実装される電気部品のうちで発熱量の少ない電気部品が実装される一方、前記上下方向で同一面内に存在する上側の大部屋における前壁と下側の小部屋における前壁とが遊技盤の裏面の側に向けられることによって、前記上側の大部屋と下側の小部屋とにわたって格納された回路基板の板面が遊技盤の裏面と直交し、かつ、大部屋が上側で小部屋が下側となるように、制御装置が遊技盤の裏面に縦置き配置されて取り付けられたことを特徴とする遊技機。
【請求項３】
回路基板における大部屋側部分に実装された発熱量の多い電気部品および回路基板における小部屋側部分に実装された発熱量の少ない電気部品が遊技盤の左右方向外側に向けられたことを特徴とする請求項１または請求項２記載の遊技機。
【発明の詳細な説明】
【０００１】
【発明の属する技術分野】
本発明は遊技機に関する。
【０００２】
【従来の技術】
特許第２７９５１６５号公報や特許第２８１９０２１号公報で開示されたパチンコ機は、パチンコ機の制御を行う制御基板を遊技盤の裏面側で遊技盤と垂直状態となるように取付けている。
【０００３】
【発明が解決しようとする課題】
しかし、前記従来例では、制御基板を透明樹脂製のハウジングで覆う構造であるため、制御基板に実装された部品から発生した熱の逃げが悪くなる。
【０００４】
そこで、本発明は、制御基板に実装された部品から発生した熱が制御基板を覆うハウジングの内部から外部に放出する、放熱性能が向上できる遊技機を提供するものである。
【０００５】
【課題を解決するための手段】
本発明にあっては、回路基板をハウジングに格納した制御装置が遊技機枠体に取り付けられる遊技盤の裏面に設けられた遊技機において、制御装置のハウジングの内部には上側の大部屋と下側の小部屋とが相互に連なる箱型の１つの空間として形成され、上側の大部屋における前壁と下側の小部屋における前壁が上下方向で同一面内に存在し、上側の大部屋における前壁から後壁までの幅が下側の小部屋における前壁から後壁までの幅よりも大きく、少なくとも上側の大部屋における上壁および後壁には内外に貫通する多数の小孔が形成され、少なくとも下側の小部屋における後壁には内外に貫通する多数の小孔が形成された構成であり、前記回路基板が上側の大部屋と下側の小部屋とにわたって格納され、この回路基板における上側の大部屋に配置される大部屋側部分には回路基板に実装される電気部品のうちで発熱量の多い電気部品が実装され、この回路基板における下側の小部屋に配置される小部屋側部分には回路基板に実装される電気部品のうちで発熱量の少ない電気部品が実装される一方、前記上下方向で同一面内に存在する上側の大部屋における前壁と下側の小部屋とにおける前壁とが遊技盤の裏面の側に向けられることによって、前記上側の大部屋と下側の小部屋とにわたって格納された回路基板の板面が遊技盤の裏面と直交し、かつ、大部屋が上側で小部屋が下側となるように、制御装置が遊技盤の裏面に縦置き配置されて取り付けられたか、または、回路基板をハウジングに格納した制御装置が遊技機枠体に取り付けられる遊技盤の裏面に設けられた遊技機において、制御装置のハウジングの内部には上側の大部屋と下側の小部屋とが相互に連なる箱型の１つの空間として形成され、上側の大部屋と下側における前壁と小部屋における前壁とが上下方向で同一面内に存在し、上側の大部屋における左右方向の高さが下側の小部屋における左右方向の高さよりも大きく、少なくとも上側の大部屋における左右方向の一方の背壁と上壁とには内外に貫通する多数の小孔が形成され、少なくとも下側の小部屋における後壁には内外に貫通する多数の小孔が形成され、前記回路基板は上側の大部屋と下側の小部屋とにわたって格納され、この回路基板における上側の大部屋に配置される大部屋側部分には回路基板に実装される電気部品のうちで発熱量の多い電気部品が実装され、この回路基板における下側の小部屋に配置される小部屋側部分には回路基板に実装される電気部品のうちで発熱量の少ない電気部品が実装される一方、前記上下方向で同一面内に存在する上側の大部屋における前壁と下側の小部屋における前壁とが遊技盤の裏面の側に向けられることによって、前記上側の大部屋と下側の小部屋とにわたって格納された回路基板の板面が遊技盤の裏面と直交し、かつ、大部屋が上側で小部屋が下側となるように、制御装置が遊技盤の裏面に縦置き配置されて取り付けられたことを特徴としている。よって、本発明によれば、発熱量の多い電気部品から発生した熱は大部屋の内部を上昇して大部屋の小孔より外部に放出される。この大部屋からの熱放出に伴ない、外部の冷えた空気が小部屋の小孔から小部屋の内部に流れ込む。この小部屋に流れ込んだ冷気は小部屋の内部を上昇する過程で発熱量の少ない電気部品を冷却して大部屋へと流れて大部屋の小孔から外部に放出される。このようなハウジングの内部に生じる空気の流れによって、回路基板に実装された部品の放熱性能は向上される。しかも、回路基板の面積を大きくすることができ、回路基板の面積を大きくすれば、回路基板の実装密度が低くなり、ハウジングの内部で発生した熱が回路基板に実装された部品間を円滑に通り抜けて回路基板に実装された部品を良好に冷却することができる。又、本発明にあっては、回路基板における大部屋側部分に実装された発熱量の多い電気部品および回路基板における小部屋側部分に実装された発熱量の少ない電気部品が遊技盤の左右方向外側に向けられれば、遊技盤の裏側に設けられた例えば特別図柄制御装置の右側または左側に制御装置を配置した場合でも、制御装置の放熱孔から放出される熱気が特別図柄制御装置に作用しないようになる。
【０００６】
【発明の実施の形態】
図１乃至図５は本発明の一実施形態であって、図１は遊技盤１と前枠１０とを分解して示し、図２は第３部品取付体と効果音制御装置とを分解して示し、図３は効果音制御装置を分解して示し、図４は図１をＡ−Ａ線に沿い切断した断面を示し、図５は遊技枠体の裏面を示す。
【０００７】
図１を参照し、遊技盤１と前枠１０とについて説明する。ゲージ盤と呼ばれる遊技盤１の裏面には、表示灯制御装置２、効果音制御装置３、特別図柄制御装置４、盤側外部情報基板５が合成樹脂製の第１部品取付体６を介して取付けられ、主制御装置７が合成樹脂製の第２部品取付体８を介して取付けられる。そして、遊技盤１が額縁状の前枠１０より前枠１０の裏面に固定された金属製のリアプレート１１に挿入されて装着されると、表示灯制御装置２、効果音制御装置３、特別図柄制御装置４、盤側外部情報基板５及び主制御装置７それぞれが前枠１０の裏面に固定されたリアプレート１１の窓１２より裏側に突出する。第１部品取付体６は、遊技盤１の前面に設けられた入賞口装置に入賞して遊技盤１の裏面側に排出された入賞球を誘導するための通路を遊技盤１の裏面とで形成する。
【０００８】
前枠１０の上部裏面には枠側外部情報基板１３や上タンク１４が固定され、下タンク１５が上タンク１４に開閉可能に結合される。前枠１０には透視性の有る合成樹脂製のリアカバー１６がリアプレート１１を介して開閉可能に取付けられる。この実施形態の場合、リアカバー１６は、前方開放状の箱型であって、一側部がリアプレート１１に図外のヒンジを介して片開き可能に装着された球払出機構１７に取付けられる。リアカバー１６は、球払出機構１７を介して遊技盤１の裏面側に閉じられることにより、主制御装置７と表示灯制御装置２と効果音制御装置３及び特別図柄制御装置４を覆い、不正行為を防止する。
【０００９】
よって、リアカバー１６は枠ヒンジと同じ側に位置した球払出機構１７のヒンジを回転中心として片開き可能である。そして、リアカバー１６が閉じられると、主制御装置７、表示灯制御装置２、効果音制御装置３、特別図柄制御装置４がリアカバー１６で覆われる。
【００１０】
図２を参照し、効果音制御装置３の取付構造について説明する。第３取付体２０は第１部品取付体６に効果音制御装置３を取付けるための透視性のある無色な合成樹脂からなる部品であって、前側より裏側に窪む筒状の取付孔部２１、裏側に突出した上部左右の位置ずれ防止部２２、上部の係合孔部２３、下部左の横受止部２４、下部右の先端にフック２５を有する係合レバー２６を備える。そして、第３取付体２０の前面が図１に示す第１部品取付体６の裏面に重ね合された状態において、図外の止ねじが取付孔部２１より第１部品取付体６に締結されることにより、第３取付体２０が第１部品取付体６に取付けられる。
【００１１】
又、効果音制御装置３の上部が位置ずれ防止部２２の間に挿入され、効果音制御装置３のハウジング１８より上部に突出した係合片部２７が係合孔部２３に裏側より挿入される。その状態において、係合片部２７を支点として、効果音制御装置３の下部が第３取付体２０の側へ押込まれる。これに伴い、効果音制御装置３の下部が横受止部２４と係合レバー２６との間に挿入されて係合レバー２６を右側へ押して係合レバー２６のフック２５を超えることにより、係合レバー２６が弾性的に復元し、係合レバー２６のフック２５がハウジング１８に設けられた係合凹部２８に係合する。これによって、効果音制御装置３が第３取付体２０に結合される。
【００１２】
図３を参照し、効果音制御装置３について説明する。ハウジング１８は透視性合成樹脂よりなる左側開放状の箱型に形成されたケース３１と透視性合成樹脂よりなる板状のカバー５１とを備える。ケース３１は上側の大部屋３２と下側の小部屋３３とを備える。大部屋３２と小部屋３３とは相互に連なって左側に開放された箱型の１つの空間を形成する。大部屋３２の上壁３４及び背壁３５には上側コネクタ収納部３６が内側に窪む凹状に形成され、小部屋３３の下壁３９及び背壁４０には下側コネクタ収納部４１が内側に窪む凹状に形成される。
【００１３】
大部屋３２の左側開口端から背壁３５までの高さＨ１は小部屋３３の左側開口端から背壁４０までの高さＨ２よりも大きい（Ｈ１＞Ｈ２）。大部屋３２の左側開口端と小部屋３３の左側開口端とは上下方向で同一面内に存在する。大部屋３２の前壁４２から後壁３７までの幅Ｄ１は小部屋３３の前壁４３から後壁４４までの幅Ｄ２よりも大きい（Ｄ１＞Ｄ２）。前壁４２；４３は上下方向で同一面内に存在する。
【００１４】
大部屋３２の上壁３４と背壁３５及び後壁３７にはピアノ線のような不正操作部材が挿入不能な大きさの小孔４５が多数形成され、小部屋３３の後壁３７にもピアノ線のような不正操作部材が挿入不能な大きさの小孔４６が多数形成される。大部屋３２の高さＨ１と小部屋３３の高さＨ２との差によって形成される段差部４７から上壁３４側に比較的離れた背壁３５の部分Ｓ、前壁４２；４３、段差部４７、下壁３９、背壁４０、上側コネクタ収納部３６及び下側コネクタ収納部４１には小孔４５；４６は形成されていない。背壁３５の上側隅部及び背壁の下側隅部には型抜孔である成形残孔４８を有する。成形残孔４８と対応する筒状の支柱４９がケース３１の内部に突設される。
【００１５】
カバー５１は大部屋側板部５２とこれに連なる小部屋側板部５３とを備える。カバー５１の右側の板面には周壁５４が大部屋側板部５２及び小部屋側板部５３に跨って環状に突出する。周壁５４は大部屋３２の内部と小部屋３３の内部と上側コネクタ収納部３６の内部及び下側コネクタ収納部４１の内部に挿入し得るようにカバー５２の周端面より内側に偏っている。周壁５４における大部屋側板部５２の上側の隅部及び小部屋側板部５３の下側の隅部には結合座５５が設けられる。結合座５５はカバー５１の左側の板面にも貫通する筒状である。
【００１６】
回路基板６０は周壁５４の外縁に沿う形状に形成されており、大部屋側部分６１には大容量コンデンサ６２と図外のパワートランジスタとパワートランジスタの放熱器６３及びその他等の発熱量の多い電気部品や上側コネクタ６４が実装され、小部屋側部分６６にはＣＰＵ６７と音再生ＩＣ６８とＲＯＭ６９及びその他等の発熱量の少ない電気部品や下側コネクタ７０が実装される。
【００１７】
そして、回路基板６０が部品実装面側からケース３１に収納されると、回路基板６０の取付孔７１周りの部品実装面が成形残孔４８と対応してケース３１の支柱４９で受止められ、上側コネクタ６４が上側コネクタ収納部３６に配置され、下側コネクタ７０が下側コネクタ収納部４１に配置される。それから、カバー５１が周壁５４側からケース３１に収納されると、周壁５４がケース３１内の回路基板６０に接触し、カバー５１の周壁５４より外側に環状に突出する右側板面がケース３１の左側開口端に接触して、カバー５１がケース３１の左側開口を閉鎖する。
【００１８】
その状態において、止ねじ７６がカバー５１の外側より結合座５５及び取付孔７１を経由して支柱４９に締結される。これにより、ケース３１とカバー５１及び回路基板６０が図４にも示すように互いに結合されて効果音制御装置３を構成する。このように構成された効果音制御装置３では、回路基板６０の部品実装面がケース３１の背壁３５；４０と対応し、回路基板６０の外周端面がケース３１の上壁３４と前壁４２；４３と後壁３７；４４と対応する。
【００１９】
この実施形態では、効果音制御装置３が前壁４２；４３より図２の第３部品取付体２０及び図１の第１部品取付体６を介して遊技盤１に取付けられると、効果音制御装置３の背壁３５；４０が図１の特別図柄制御装置４とは反対側の右外側となり、効果音制御装置３の大部屋３２が上側で、小部屋３３が下側となり、小部屋３３の後壁４４の上に第２部品取付体８が隙間を以って配置され、回路基板６０の板面が遊技盤１の裏面と直交し、遊技盤１を裏側から見て、回路基板６０の部品実装面及び背壁３５；４０が右側に向けられ、効果音制御装置３が遊技盤１の裏面に縦置き配置される。この縦置き配置により、回路基板６０の面積を大きくすることができ、回路基板６０の面積を大きくすれば、回路基板６０の実装密度が低くなり、ハウジング１８の内部で発生した熱が回路基板６０に実装された部品間を円滑に通り抜けて回路基板６０に実装された部品を良好に冷却することができる。
【００２０】
そして、効果音制御装置３の動作中において、回路基板６０に実装された部品から発生した熱は効果音制御装置３の内部から外部に放熱される。その点について図４を参照しつつ説明する。図４では、紙面の表面側が図１の遊技盤１に装着された場合における効果音制御装置３の裏側で、紙面の裏面側が同効果音制御装置３の表側である。例えば、放熱器６３から発生した熱は矢印Ｘ１で示すように大部屋３２の内部を上昇して上壁３４や背壁３５及び後壁３７（図３参照）のそれぞれに設けられた小孔４５より外部に放出される。この大部屋３２からの熱放出に伴ない、外部の冷えた空気が小部屋３３の後壁４４の小孔４６から小部屋３３の内部に流れ込む。
【００２１】
この実施形態の場合、大部屋３２では上壁３４や背壁３５及び後壁３７のそれぞれに小孔４５が形成された構造であり、一方、小部屋３３では後壁４４に小孔４６が形成された構造であるため、大部屋３２における小孔４５の数量が小部屋３３における小孔４６の数量より多く、小孔４５の総面積が小孔４６の総面積より大きい。しかし、大部屋３２から外部に放出される熱気の単位時間当りの放出量と、この熱気の外部への放出に伴なう外部から小部屋３３に流入する冷気の単位時間当りの流入量とは同じである。
【００２２】
よって、小部屋３３への空気の流入速度が高くなるので、外部から小部屋３３に流入した空気は後壁４４から前壁４３あたりの方までと小部屋３３の内部の奥まで流れ込む。この小部屋３３の奥まで流れ込んだ冷気は矢印Ｘ２で示すように小部屋３３の内部を上昇する過程において、ＣＰＵ６７やＲＯＭ６９等の比較的熱に弱い電気部品を適切に冷却して大部屋３２へと流れて矢印Ｘ１で示す空気と合流して大部屋３２から小孔４５を経由して外部に放出される。このようなハウジング１８の内部に生じる空気の流れによって、効果音制御装置３の放熱性能は向上される。
【００２３】
又、大部屋３２において背壁３５と段差部４７とよりなる隅部に滞留する熱気は矢印Ｘ３で示すように小部屋３３の背壁４０に沿って大部屋３２へと流れる気流の側圧に引かれて当該気流に合流して小孔４５より外部に放出されるので、大部屋３２での熱のこもりも適切に解消できる。
【００２４】
図５を参照し、パチンコ機の裏機構について説明する。図１の遊技盤１を装着した前枠１０が額縁状の外枠８０に枠ヒンジ８１を介して前側（図５の紙面の裏面側）で横方向に片開き可能に取付けられた場合、効果音制御装置３は特別図柄制御装置４と球払出機構１７との間の比較的横幅の狭い空間に配置されるが、回路基板６０が特別図柄制御装置４側に位置した縦置き状態で、大部屋３２が球払出機構１７よりも裏側に比較的多く突出して放熱性能も良好である。前枠１０と外枠８０とが遊技機枠体８２を構成する。
【００２５】
表示灯制御装置２、効果音制御装置３、特別図柄制御装置４、主制御装置７は機能分割されている。主制御装置７は賞球関係各種スイッチや入賞球関係各種スイッチからの入力信号により遊技内容の全般に関する制御するためのコンピュータによる制御処理を行い、処理結果であるコマンド信号を配線により一方向で表示灯制御装置２、効果音制御装置３、特別図柄制御装置４及び図外の球払出制御装置や球発射制御装置等に出力する。表示灯制御装置２や効果音制御装置３及び特別図柄制御装置４並びに球払出制御装置それぞれは主制御装置７から入力されたコマンド信号によりそれぞれの制御処理を実行する。表示灯制御装置２は遊技盤１や前枠１０に設けられた各種表示灯を点灯又は点滅するためのコンピュータによる制御処理を行い、処理結果である駆動信号を上記表示灯に出力する。効果音制御装置３は前枠１０に設けられたスピーカで効果音を発生するためのコンピュータによる制御処理を行い、処理結果である駆動信号を上記スピーカに出力する。特別図柄制御装置４は遊技盤１に設けられた特別図柄表示器を図柄表示動作するためのコンピュータによる制御処理を行い、処理結果である駆動信号を上記特別図柄表示器に出力する。球払出制御装置は球払出機構１７を球払出動作するためのコンピュータによる制御処理を行い、処理結果である駆動信号を球払出機構に出力する。
【００２６】
球払出機構１７は賞球用の単独であっても、賞球用及び球貸用の複数であっても良いが、複数の場合は前後又は左右に重ね合されることにより実施し得る。
【００２７】
実施形態では大部屋３２の上壁３４や背壁３５及び後壁３７に小孔４５を形成し、小部屋３３の後壁４４に小孔４６を形成したが、大部屋３２の前壁４２及び小部屋３３の下壁３９や背壁４０及び前壁４３更には段差部４７にも小孔４５；４６と同様の小孔を形成したり、ハウジング１８の全面に小孔４５；４６と同様の小孔を形成しても良いが、この場合、大部屋３２の表面積が小部屋３３の表面積よりも大きければ、実施形態と同様の空気流を発生させることができる。それは、１つの小孔の大きさは不正操作防止の観点から限度があり、小孔の密度は強度や成形時の型抜き性の観点から上限があるため、大部屋３２の表面積が小部屋３３の表面積よりも大きければ、大部屋３２での小孔４５の数量が小部屋３３での小孔４５の数量よりも多くなり、小孔４５の総面積が小孔４６の総面積よりも大きくなるからである。
【００２８】
実施形態では大部屋３２の上壁３４の面積が小部屋３３の下壁３９の面積よりも大きいので、上壁３４と下壁３９とに小孔４５；４６に相当する小孔を設けた場合で、実施形態と同様の空気流を発生させることができる。
【００２９】
実施形態では大部屋３２の高さＨ１及び幅Ｄ１の双方が小部屋３３の高さＨ２及び幅Ｄ２の双方よりも大きいが、大部屋３２の高さＨ１が小部屋３３の高さＨ２よりも大ききか、或いは、大部屋３２の幅Ｄ１が小部屋３３の幅Ｄ２よりも大きいというように、大部屋３２の高さＨ１又は幅Ｄ２の何れか一方が小部屋３３の高さＨ２又は幅Ｄ２の何れか一方より大きければ、同様に適用できる。
【００３０】
実施形態はパチンコ機を示したが、スロットマシンにも適用できる。この場合、前枠１０に装着される役物として遊技盤１に代えて図柄可変表示装置が用いられ、又、前記遊技盤１に取付けられる種々部品は遊技機枠体８２に取付けられることは勿論である。
【図面の簡単な説明】
【図１】本発明の一実施形態を示す分解斜視図。
【図２】同実施形態の効果音制御装置周りを示す分解斜視図。
【図３】同実施形態の効果音制御装置を示す分解斜視図。
【図４】図１のＡ−Ａ線断面図。
【図５】同実施形態の遊技枠体を示す裏面図。
【符号の説明】
１  遊技盤
３  効果音制御装置
１８  ハウジング
３２  大部屋
３３  小部屋
４５；４６  小孔
【図１】
0003599642.tif 000002
【図２】
0003599642.tif 000003
【図３】
0003599642.tif 000004
【図４】
0003599642.tif 000005
【図５】
0003599642.tif 000006